(57)【要約】【課題】製造上の作業性を改善し、小型で所期の回動量を確保することが可能な回動構造を有する電子機器およびＦＰＣ止め構造を提供する。【解決手段】ＦＰＣ３に設けられた抜け止め用突起５を、ＦＰＣ３の長手方向の動きに対して遊びがある状態で、抜け止め部４に設けられた開口部２に挿通させることで、抜け止め用突起５の動きは、開口部２の幅内に制限されるので、コネクタ６を回路基板７のコネクタ９に接続する際には、抜け止め用突起５が開口部２の幅だけ引き出して上記接続が容易に行え、また必要以上の長さのＦＰＣ３を引き出してしまうのを防止し、軸８に巻き付けられたＦＰＣ３は、開口部２の幅内の遊びがあるため、コネクタ６をコネクタ９に接続した後、カメラ部１２を回動させても、軸８に対する巻き付けと上記遊びにより、カメラ部１２の回転角を所期の量だけ確保するようにしたものである。【選択図】　　図３
2004040337.tif 000002
【特許請求の範囲】
【請求項１】
回動可能な回動部を備える電子機器において、
一端が前記回動部の回動軸周りに巻かれるとともに他端にはコネクタが設けられ、このコネクタと前記回動部とを電気的に接続する配線パターンを有し、長手方向に対してほぼ直交する方向に突出する突起部を有する配線手段と、
この配線手段を前記長手方向に導くもので、この長手方向に対してほぼ直交する方向に開口部を有するガイドとを備え、
前記突起部を前記開口部に挿通し、前記配線手段の長手方向への動きを、前記突起部が開口部内で動く範囲に制限したことを特徴とする電子機器。
【請求項２】
前記突起部は、前記開口部に対して遊挿されていることを特徴とする請求項１に記載の電子機器。
【請求項３】
前記配線手段は、帯状の形状からなり、
前記突起部は、前記帯状の面に垂直な方向と、前記長手方向とに対してほぼ直交する方向に突出することを特徴とする請求項１または請求項２に記載の電子機器。
【請求項４】
回動部の回動軸周りに一端が巻かれるＦＰＣ（Ｆｌｅｘｉｂｌｅ　Ｐｒｉｎｔ　Ｃｉｒｃｕｉｔ）を止めるＦＰＣ止め構造において、
前記ＦＰＣは、長手方向に対してほぼ直交する方向に突出する突起部を備え、前記ＦＰＣを前記長手方向に導くもので、この長手方向に対してほぼ直交する方向に開口部を有するガイドを備え、
前記突起部を前記開口部に挿通し、前記ＦＰＣの長手方向への動きを、前記突起部が開口部内で動く範囲に制限したことを特徴とするＦＰＣ止め構造。
【請求項５】
前記突起部は、前記開口部に対して遊挿されていることを特徴とする請求項４に記載のＦＰＣ止め構造。
【請求項６】
前記ＦＰＣは、帯状の形状からなり、
前記突起部は、前記帯状の面に垂直な方向と、前記長手方向とに対してほぼ直交する方向に突出することを特徴とする請求項４または請求項５に記載のＦＰＣ止め構造。
【発明の詳細な説明】
【０００１】
【発明の属する技術分野】
この発明は、例えば撮像方向が可変するディジタルカメラなどの回動部を有する電子機器で用いられるＦＰＣ（Ｆｌｅｘｉｂｌｅ　Ｐｒｉｎｔ　Ｃｉｒｃｕｉｔ）の止め構造に関する。
【０００２】
【従来の技術】
近時、ディジタルカメラの低価格化や小型化の技術進歩に伴い、一般が普及するようになり、携帯電話機やＰＨＳ（Ｐｅｒｓｏｎａｌ　Ｈａｎｄｙｐｈｏｎｅ　Ｓｙｓｔｅｍ）端末、携帯型のコンピュータなどにも、ディジタルカメラが備えられるようになった。
【０００３】
またこれらのディジタルカメラは、図１に示すように、ＣＣＤ（Ｃｈａｒｇｅ−Ｃｏｕｐｌｅｄ　Ｄｅｖｉｃｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）などの撮像素子を備え、撮像方向が可変するカメラ部１２と、これを支持する装置本体カバー１０ａ，１０ｂとからなる構造を採用するものがある。
【０００４】
そして、このような構造を採用するディジタルカメラは、図９に示すように、装置本体カバー１０ａ，１０ｂ内に回路基板７を挟み込んでおり、この回路基板７は、接続部３０によりカメラ部１２と物理的・電気的に接続されている。
【０００５】
図１０は、カメラ部１２と回路基板７とが、接続部３０により接続される様子を拡大して示すものである。図１１および図１２は、接続部３０を構成する部品を分解した様子を示す図で、それぞれ別の角度から見たものである。
【０００６】
これらの図に示すように、接続部３０は、回路基板７と接続するためのコネクタ６と、このコネクタ６の電極と一端が電気的に接続されるＦＰＣ（Ｆｌｅｘｉｂｌｅ　Ｐｒｉｎｔ　Ｃｉｒｃｕｉｔ）３と、カメラ部１２の軸８が挿通される軸受け１３と、ＦＰＣ３を軸８に巻いた状態で収容するカバー１と、カバー１を軸８に固定するネジ１４とを備える。なお、ＦＰＣ３の他端は、軸８に電気的・物理的に接続されている。
【０００７】
カバー１には、図１２に示すように、ＦＰＣ３が通される抜け止め部４０が設けられている。
【０００８】
この抜け止め部４０の内部の対向する壁面には、それぞれ抜け止め突起１１ａ、１１ｂが設けられており、これらの隙間を上記ＦＰＣ３が挿通している。
【０００９】
すなわち、図１０のＡ−Ａ断面を示す図１３のように、ＦＰＣ３は、軸８に上記他端が固定された状態で巻き付けられ、ＦＰＣ３の上記一端は、抜け止め部４０内を挿通され、コネクタ６に接続されている。
【００１０】
そして、コネクタ６は、回路基板７上のコネクタ９と電気的・物理的に接続される。
【００１１】
以上のような構造によれば、カメラ部１２の回転に伴い、ＦＰＣ３の軸８に対する巻き付き径が変化するが、ＦＰＣ３の幅方向（軸８の軸方向）への動きは、カバー１およびこれを固定するネジ１４により抑止され、ＦＰＣ３の長手方向にへの動きは、抜け止め部４０の内部において、抜け止め突起１１ａ、１１ｂとの摩擦により、抑止される。
【００１２】
このため、ＦＰＣ３の軸８に対する巻き付き径の変化により、カメラ部１２の回転は自在に可能であり、またこれに伴うＦＰＣ３の長手方向にへの動きは、抜け止め突起１１ａ、１１ｂとの摩擦により、抑止されるので、カバー１外に取り出されるＦＰＣ３の長さは一定に保たれる。
【００１３】
しかしながら、製造上の観点から、このような構造を見ると、抜け止め突起１１ａ、１１ｂが対向する壁面に設けられた抜け止め部４０にＦＰＣ３を通すことは、非常に手間がかかるという問題がある。
【００１４】
これに対して、抜け止め突起１１ａ、１１ｂを小さくするなどして、ＦＰＣ３を通しやすくすることも可能であるが、これによると、ＦＰＣ３に対する抜け止め突起１１ａ、１１ｂの摩擦力が不十分になってしまい、図１４に示すように、コネクタ６をコネクタ９に取り付ける際に必要以上のＦＰＣ３をカバー１外に取り出してしまう虞がある。
【００１５】
このようにして一旦必要以上のＦＰＣ３を取り出してしまうと、カバー１内で巻き付けられた長さが不十分になって、カメラ部１２の回転角が不十分になってしまう。また、ＦＰＣ３の余長分をカバー１内に戻すのは大変手間がかかるため、製造作業の効率が悪くなる。
【００１６】
また、軸８に対するＦＰＣ３の巻き付け長を長くすることにより、カメラ部１２の回転角を所期の量だけ確保することは可能であるが、ＦＰＣ３の巻き付け量の延長は、カバー１を大型化させることになってしまう。
【００１７】
なお、この問題は、ディジタルカメラの回動部のＦＰＣ止め構造に限ったものではなく、例えばノート型のパーソナルコンピュータの蝶番部分など、回動部分構造を有する他の電子機器においても、同じ問題が存在する。
【００１８】
【発明が解決しようとする課題】
回動構造を有する従来の電子機器では、製造上の作業性が悪いという問題があった。
【００１９】
この発明は上記の問題を解決すべくなされたもので、製造上の作業性を改善し、小型で所期の回動量を確保することが可能な回動構造を有する電子機器およびＦＰＣ止め構造を提供することを目的とする。
【００２０】
【課題を解決するための手段】
上記の目的を達成するために、請求項１に係わる本発明は、回動可能な回動部を備える電子機器において、一端が回動部の回動軸周りに巻かれるとともに他端にはコネクタが設けられ、このコネクタと回動部とを電気的に接続する配線パターンを有し、長手方向に対してほぼ直交する方向に突出する突起部を有する配線手段と、この配線手段を前記長手方向に導くもので、この長手方向に対してほぼ直交する方向に開口部を有するガイドとを備え、突起部を開口部に挿通し、配線手段の長手方向への動きを、突起部が開口部内で動く範囲に制限したことを特徴としている。
【００２１】
上記構成の電子機器では、配線手段にほぼ垂直に設けられた突起部を、配線手段を長手方向に導くガイドに設けられた開口部に挿通することにより、配線手段の長手方向への動きを、突起部が開口部内で動く範囲に制限するようにしている。
【００２２】
このため、組み立て作業者は、配線手段をガイドに通し、突起部を開口部の位置に位置決めするだけで組み立てが完了するので、製造上の作業が容易である。そして、突起部が開口部内を移動することができ、配線手段の長手方向に対する動きは自由度が高く、このため、配線手段を回動軸周りに余分に巻き付けておく必要用がないので、配線手段の巻き付け量を減らすことができる。
【００２３】
したがって、上記構成の電子機器によれば、製造上の作業性を改善し、小型で所期の回動量を確保することができる。
【００２４】
また上記の目的を達成するために、請求項４に係わる本発明は、回動部の回動軸周りに一端が巻かれるＦＰＣを止めるＦＰＣ止め構造において、ＦＰＣは、長手方向に対してほぼ直交する方向に突出する突起部を備え、ＦＰＣを前記長手方向に導くもので、この長手方向に対してほぼ直交する方向に開口部を有するガイドを備え、突起部を開口部に挿通し、ＦＰＣの長手方向への動きを、突起部が開口部内で動く範囲に制限したことを特徴としている。
【００２５】
上記構成のＦＰＣ止め構造では、ＦＰＣにほぼ垂直に設けられた突起部を、ＦＰＣを長手方向に導くガイドに設けられた開口部に挿通することにより、ＦＰＣの長手方向への動きを、突起部が開口部内で動く範囲に制限するようにしている。
【００２６】
このため、組み立て作業者は、ＦＰＣをガイドに通し、突起部を開口部の位置に位置決めするだけで組み立てが完了するので、製造上の作業が容易である。
【００２７】
そして、突起部が開口部内を移動することができ、ＦＰＣの長手方向に対する動きは自由度が高く、このため、ＦＰＣを回動軸周りに余分に巻き付けておく必要用がないので、ＦＰＣの巻き付け量を減らすことができる。
【００２８】
したがって、上記構成のＦＰＣ止め構造によれば、製造上の作業性を改善し、小型で所期の回動量を確保することができる。
【００２９】
【発明の実施の形態】
以下、図面を参照して、この発明の一実施形態について説明する。なお、以下の説明でも、図１に示すようなディジタルカメラを例の挙げて説明する。
【００３０】
このディジタルカメラは、図２に示すように、接続部５０によりカメラ部１２と回路基板７とが接続されており、装置本体カバー１０ａ，１０ｂ内に収容される。
【００３１】
図３は、上記接続部５０の断面の構成を示すものである。
【００３２】
図１に示したカメラ部１２の軸８には、図３に示すように、帯状のＦＰＣ３が巻き付けられ、この状態でカバー１によって覆われる。ＦＰＣ３の一端は、軸８に電気的・物理的に接続されている。
【００３３】
一方、ＦＰＣ３の他端は、カバー１の抜け止め部４内を通じて外部に引き出され、コネクタ６が電気的・物理的に接続されている。
【００３４】
コネクタ６は、回路基板７上に設けられたコネクタ９と嵌合するもので、ＦＰＣ３を回路基板７上の配線パターンに電気的に接続する。
【００３５】
図４は、接続部５０、カメラ部１２、回路基板７を組み上げた状態を示す図である。
【００３６】
図４の線Ｆ−Ｆに対する垂線の方向Ｈから見た分解図が図５であり、同垂線の方向Ｉから見た分解図が図６である。
【００３７】
これらの図に示すように、カメラ部１２の軸８にＦＰＣ３が巻き付けられ、これを軸受け１３が押さえ、これらをカバー１が覆い、これらをネジ１４によって固定している。
【００３８】
また、新たな構成として、ＦＰＣ３は、抜け止め用突起５を備えている。
この抜け止め用突起５は、抜け止め部４内のＦＰＣ３を挿通する空間の大きさに比して小さく、ＦＰＣ３とほぼ同じ厚さの非導電性の部材からなり、開口部２に挿通される。
【００３９】
開口部２は、抜け止め部４の側面に設けられた穴であり、ＦＰＣ３の長手方向に対してほぼ垂直になるように設けられ、ＦＰＣ３の長手方向に対向する面２ａ，２ｂと、ＦＰＣ３の厚み方向に対向する面２ｃ，２ｄからなる。
【００４０】
そして、開口部２は、ＦＰＣ３の長手方向の大きさＬ（面２ａ〜２ｂ）が抜け止め用突起５の幅（ＦＰＣ３の長手方向の長さ）と作業時に引き出す必要のある最低限の長さの和であり、ＦＰＣ３の厚み方向の長さ（面２ｃ〜２ｄ）が、ＦＰＣの厚さよりも大きい構造となっている。図３においては、ＦＰＣ３の長手方向の大きさＬは、抜け止め突起５の幅（ＦＰＣ３の長手方向の長さ）の２．５倍程度になっている。
【００４１】
次に、上記構成のディジタルカメラの接続部５０の回路基板７に対する接続について説明する。
【００４２】
作業者がコネクタ６を持ちＦＰＣ３をカバー１内から引き出すと、図７に示す断面図のように、抜け止め用突起５が開口部２の面２ａに接触し、それ以上ＦＰＣ３が引き出されない状態になる。
【００４３】
この様子を図４のＧ−Ｇ断面で見ると、図８の破線で示すように、抜け止め用突起５が開口部２の面２ａに接触し、それ以上ＦＰＣ３が引き出されない状態になる。
【００４４】
そして、図３に示すように、コネクタ６とコネクタ９を接続した後は、ＦＰＣ３の反力により、ＦＰＣ３はカバー内に戻っていき、図８の実線で示すように、抜け止め用突起５が開口部２の面２ｂに接触し、それ以上ＦＰＣ３が戻っていかない状態になる。
【００４５】
以上のように、上記構成のディジタルカメラの接続部５０では、ＦＰＣ３に設けられた抜け止め用突起５が、ＦＰＣ３の長手方向の動きに対して遊びがある状態で、抜け止め部４に設けられた開口部２に挿通している。
【００４６】
したがって、上記構成のディジタルカメラの接続部５０によれば、抜け止め用突起５の動きは、開口部２の幅内に制限されるので、コネクタ６を回路基板７のコネクタ９に接続する際には、抜け止め用突起５が開口部２の幅だけ引き出せして上記接続が容易に行え、また必要以上の長さのＦＰＣ３を引き出してしまうのを防止できる。
【００４７】
また、軸８に巻き付けられたＦＰＣ３は、開口部２の幅内の遊びがあるため、コネクタ６をコネクタ９に接続した後、カメラ部１２を回動させても、軸８に対する巻き付けと上記遊びにより、カメラ部１２の回転角を所期の量だけ確保することができる。
【００４８】
このため、軸８に対するＦＰＣ３の巻き付け長を長くする必要がないばかりか、上記遊びにより、巻き付け長を短くしても、カメラ部１２の回転角を所期の量だけ確保できるので、カバー１を小型化することができる。
【００４９】
また、抜け止め用突起５は、ＦＰＣ３の面に垂直な方向とＦＰＣ３の長手方向とに対して垂直に設けられている。すなわち、ＦＰＣ３が変形しにくい、ＦＰＣ３の面方向に設けられているので、抜け止め用突起５は、開口部２内に常に挿通された状態にあり、軸８に対するＦＰＣ３の巻き付け量を確実に一定の範囲内に納めることができる。
【００５０】
尚、この発明は上記実施の形態に限定されるものではない。
【００５１】
上述した実施の形態では、ディジタルカメラを例に挙げて説明したが、回動構造を有する電子機器であれば、それに適用することが可能である。
【００５２】
その他、この発明の要旨を逸脱しない範囲で種々の変形を施しても同様に実施可能であることはいうまでもない。
【００５３】
【発明の効果】
以上述べたように、この発明では、配線手段にほぼ垂直に設けられた突起部を、配線手段を長手方向に導くガイドに設けられた開口部に挿通することにより、配線手段の長手方向への動きを、突起部が開口部内で動く範囲に制限するようにしている。
【００５４】
このため、組み立て作業者は、配線手段をガイドに通し、突起部を開口部の位置に位置決めするだけで組み立てが完了するので、製造上の作業が容易である。そして、突起部が開口部内を移動することができ、配線手段の長手方向に対する動きは自由度が高く、このため、配線手段を回動軸周りに余分に巻き付けておく必要用がないので、配線手段の巻き付け量を減らすことができる。
【００５５】
したがって、この発明によれば、製造上の作業性を改善し、小型で所期の回動量を確保することが可能な電子機器を提供できる。
【００５６】
また、この発明では、ＦＰＣにほぼ垂直に設けられた突起部を、ＦＰＣを長手方向に導くガイドに設けられた開口部に挿通することにより、ＦＰＣの長手方向への動きを、突起部が開口部内で動く範囲に制限するようにしている。
【００５７】
このため、組み立て作業者は、ＦＰＣをガイドに通し、突起部を開口部の位置に位置決めするだけで組み立てが完了するので、製造上の作業が容易である。
【００５８】
そして、突起部が開口部内を移動することができ、ＦＰＣの長手方向に対する動きは自由度が高く、このため、ＦＰＣを回動軸周りに余分に巻き付けておく必要用がないので、ＦＰＣの巻き付け量を減らすことができる。
【００５９】
したがって、この発明によれば、製造上の作業性を改善し、小型で所期の回動量を確保することが可能なＦＰＣ止め構造を提供できる。
【図面の簡単な説明】
【図１】この発明に係わるディジタルカメラの外観を示す図。
【図２】図１に示したディジタルカメラの分解図。
【図３】図１に示したディジタルカメラの接続部の断面を示す図。
【図４】図１に示したディジタルカメラの接続部の斜視図。
【図５】図１に示したディジタルカメラの接続部の分解図。
【図６】図１に示したディジタルカメラの接続部の分解図。
【図７】図１に示したディジタルカメラの接続部の断面を示す図。
【図８】図４に示した接続部の開口部と抜け止め用突起を示す図。
【図９】従来のディジタルカメラの分解図。
【図１０】図９に示した従来のディジタルカメラの接続部の斜視図。
【図１１】図９に示した従来のディジタルカメラの接続部の斜視図。
【図１２】図９に示した従来のディジタルカメラの接続部の分解図。
【図１３】図９に示した従来のディジタルカメラの接続部の断面を示す図。
【図１４】図９に示した従来のディジタルカメラの接続部の断面を示す図。
【符号の説明】
１…カバー
２…開口部
２ａ，２ｂ，２ｃ，２ｄ…面
３…ＦＰＣ（Ｆｌｅｘｉｂｌｅ　Ｐｒｉｎｔ　Ｃｉｒｃｕｉｔ）
４…抜け止め部
５…抜け止め用突起
６…コネクタ
７…回路基板
８…軸
９…コネクタ
１０ａ，１０ｂ…装置本体カバー
１２…カメラ部
１３…軸受け
１４…ネジ
５０…接続部
【図１】
2004040337.tif 000003
【図２】
2004040337.tif 000004
【図３】
2004040337.tif 000005
【図４】
2004040337.tif 000006
【図５】
2004040337.tif 000007
【図６】
2004040337.tif 000008
【図７】
2004040337.tif 000009
【図８】
2004040337.tif 000010
【図９】
2004040337.tif 000011
【図１０】
2004040337.tif 000012
【図１１】
2004040337.tif 000013
【図１２】
2004040337.tif 000014
【図１３】
2004040337.tif 000015
【図１４】
2004040337.tif 000016